(57)【要約】対象物（２０、２２、５４）を滅菌するための装置（２）であって、電気発熱体（４２）と熱連通する被加熱ベース（３４）を有するチャンバ（４）と、チャンバ（４）に空気を送り込むように構成された押込空気流装置と、電源回路と、電気発熱体（４２）と直列で、被加熱ベース（３４）の温度を検出するように構成された熱機械制御器（４４）と、押込空気流装置と直列で、被加熱ベース（３４）の温度を検出するように構成された感熱スイッチとを備える。装置（２）は、電気発熱体（４２）に電力が供給される滅菌モードで動作し、熱機械制御器（４４）は、熱機械制御器（４４）が第１の温度を検出すると電力供給を遮断するように構成される。装置（２）は、押込空気流装置に電力が供給される乾燥モードでも動作し、感熱スイッチは、感熱スイッチがチャンバ（４）内の水の実質的に全てが蒸気に変換されたことを示す第２の温度を検出すると乾燥モードを開始させるように構成される。【選択図】図３
2021505280.tif 000002
【特許請求の範囲】
【請求項１】
対象物を滅菌するための装置であって、
電気発熱体と熱連通する被加熱ベースを備えた、滅菌対象物を収容するためのチャンバと、
前記チャンバに空気を送り込むように構成された押込空気流装置と、
前記電気発熱体および前記押込空気流装置に電力を供給するように構成された電源回路と、
前記電源回路において前記電気発熱体と直列に配置され、前記被加熱ベースの温度を検出するために前記装置内に配置された、熱機械制御器と、
前記電源回路において前記押込空気流装置と直列に配置され、前記被加熱ベースの温度を検出するために前記装置内に配置された、感熱スイッチと、を備え、
前記装置は、前記電気発熱体が前記電源回路を介して電力を供給されることにより前記被加熱ベースを加熱し、それにより使用時には前記チャンバ内の水を加熱して前記対象物を滅菌するための蒸気を発生させる滅菌モードで動作するように構成され、前記熱機械制御器は、前記熱機械制御器が前記被加熱ベースの第１の所定温度を検出すると、前記電気発熱体への電力供給を遮断することにより前記滅菌モードを終了させるように構成され、
前記装置は、さらに、前記押込空気流装置が前記電源回路を介して電力を供給されることにより前記チャンバに空気を送り込む乾燥モードで動作するように構成され、前記感熱スイッチは、前記感熱スイッチが前記チャンバ内の水の実質的に全てが蒸気に変換されたことを示す前記被加熱ベースの第２の所定温度を検出すると、前記押込空気流装置への電力供給を接続することにより前記乾燥モードを開始させるように構成された、装置。
【請求項２】
前記熱機械制御器と前記感熱スイッチとが、それぞれ独立して、前記被加熱ベースに熱接触して配置された、請求項１に記載の装置。
【請求項３】
前記第１の所定温度も、前記チャンバ内の水の実質的に全てが蒸気に変換されたことを示す、先行する請求項のいずれかに記載の装置。
【請求項４】
前記第１の所定温度が、ちょうど前記水の実質的に全てが蒸気に変換された時点の前記被加熱ベースの温度を示す、請求項３に記載の装置。
【請求項５】
前記熱機械制御器と前記感熱スイッチとが、前記被加熱ベースの異なる部分の温度に対して感応性を有するように構成された、先行する請求項のいずれかに記載の装置。
【請求項６】
前記第１の所定温度が、前記水の実質的に全てが蒸気に変換された時点を示す検出温度よりも高い温度に設定された、請求項１から３または５のいずれかに記載の装置。
【請求項７】
前記第２の所定温度が前記第１の所定温度よりも高い、先行する請求項のいずれかに記載の装置。
【請求項８】
前記第１の所定温度と前記第２の所定温度とが、前記滅菌モードの終了から前記乾燥モードの開始までの間に時間的な遅延が生じるように選択された、先行する請求項のいずれかに記載の装置。
【請求項９】
前記感熱スイッチが、前記装置内の対象物が乾燥して冷めたことを示す第３の所定温度を検出すると、前記押込空気流装置への電力供給を遮断することによって前記乾燥モードを終了させるように構成された、先行する請求項のいずれかに記載の装置。
【請求項１０】
前記感熱スイッチが、感熱アクチュエータによって作動させられる常開型スイッチを含む、先行する請求項のいずれかに記載の装置。
【請求項１１】
前記チャンバが、前記被加熱ベースと前記電気発熱体との間に配置された放熱板をさらに備える、先行する請求項のいずれかに記載の装置。
【請求項１２】
前記電気発熱体が、円弧形状に配置され、前記円弧形状の第１端および第２端を規定する電気的終端を備える、先行する請求項のいずれかに記載の装置。
【請求項１３】
前記感熱スイッチが、前記電気的終端間で前記被加熱ベースの温度を検出するように構成された、請求項１２に記載の装置。
【請求項１４】
前記押込空気流装置が、前記チャンバの側壁に配置された、先行する請求項のいずれかに記載の装置。
【請求項１５】
前記押込空気流装置が、前記装置が置かれた環境からの空気を前記チャンバに送り込むように構成された、先行する請求項のいずれかに記載の装置。
【請求項１６】
前記押込空気流装置が電動ファンを備える、先行する請求項のいずれかに記載の装置。
【請求項１７】
前記押込空気流装置の下流に位置する、空気を前記チャンバの特定の部分に向かわせるための空気方向付け手段をさらに備える、先行する請求項のいずれかに記載の装置。
【請求項１８】
前記空気方向付け手段が、空気の第１の部分を前記チャンバの上側部分に向かわせ、かつ／または、空気の第２の部分を前記チャンバの中央部分に向かわせ、かつ／または、空気の第３の部分を前記チャンバの下側部分に向かわせるように構成された、請求項１７に記載の装置。
【請求項１９】
前記空気方向付け手段が、前記空気流を方向付けるために１つまたは複数の羽根を備えるバッフルによって提供される、請求項１７または１８に記載の装置。
【請求項２０】
前記空気方向付け手段が、前記チャンバ内で前記押込空気流装置の下流に配置されて、前記押込空気流装置によって駆動された空気の少なくとも一部分を、使用時の前記チャンバに収容された前記対象物上および／または前記対象物内に直接向かわせる導管を備える、請求項１７に記載の装置。
【請求項２１】
前記導管が、前記押込空気流装置によって駆動された空気の全てを方向付ける、請求項２０に記載の装置。
【請求項２２】
前記押込空気流装置によって方向付けられた空気をろ過するように構成されたエアフィルタをさらに備える、先行する請求項のいずれかに記載の装置。
【請求項２３】
前記エアフィルタが、前記押込空気流装置の下流に配置された、請求項２２に記載の装置。
【請求項２４】
前記電気発熱体が、２ｋＷ以上、好ましくは２〜３ｋＷ、理想的には約３ｋＷの出力を有する、先行する請求項のいずれかに記載の装置。
【請求項２５】
前記チャンバが、前記滅菌モードにおいて沸騰させるための水を５０〜１５０ｍｌ、好ましくは１００ｍｌ収容できるように構成された、先行する請求項のいずれかに記載の装置。
【請求項２６】
前記被加熱ベースが、水を収容するための窪みを中心に備える、先行する請求項のいずれかに記載の装置。
【請求項２７】
前記チャンバを閉じるように構成された蓋をさらに備える、先行する請求項のいずれかに記載の装置。
【請求項２８】
前記蓋が、前記チャンバから蒸気を流出させるように構成された少なくとも１つの通気口を備える、請求項２７に記載の装置。
【請求項２９】
対象物を前記被加熱ベースから離して支持するための支持構造をさらに備える、先行する請求項のいずれかに記載の装置。
【請求項３０】
前記支持構造が、対象物を前記被加熱ベースから離して支持するために前記チャンバ内に配置された少なくとも１つのトレイ部材を含む、請求項２９に記載の装置。
【請求項３１】
前記少なくとも１つのトレイ部材が、対象物を支持することを支援する少なくとも１つの支持機能を備える、請求項３０に記載の装置。
【請求項３２】
前記少なくとも１つのトレイ部材が、蒸気を通り抜けさせるように構成された少なくとも１つの孔を備える、請求項３０または３１に記載の装置。
【請求項３４】
前記支持機能のうちの１つまたは複数に、該支持機能を貫通する孔が設けられた、請求項３１に記載の装置。
【請求項３５】
前記電源回路において前記押込空気流装置と直列に配置されることにより前記乾燥モードにおいて動作するように構成された追加の電気発熱体をさらに備える、先行する請求項のいずれかに記載の装置。
【発明の詳細な説明】
【技術分野】
【０００１】
本発明は、滅菌装置、特に、哺乳瓶およびその関連部品を滅菌するための装置に関する。
【背景技術】
【０００２】
乳幼児が１歳前後になるまでは全ての授乳用具を毎回の使用前に滅菌することが必要と考えられている。例えば、哺乳瓶は、乳首や蓋を含むその関連パーツと共に、使用前には無菌でなければならない。毎使用前の滅菌は、用具上に存在するいかなる細菌をも死滅させることを確実にし、そのため、用具の使用によって乳幼児が病気になることを避けるのに役立つ。
【０００３】
授乳用具の滅菌には、電気式蒸気滅菌器、電子レンジ蒸気滅菌器、煮沸器、および冷水滅菌を含む様々な方法がある。理解されるように、授乳用具は頻繁に使用されるため、このような用具を頻繁に滅菌する必要がある。したがって、たいていのユーザには単純で使い易い滅菌装置が好まれ、便利さから電気式蒸気滅菌器に頼るユーザが多い。
【発明の概要】
【発明が解決しようとする課題】
【０００４】
電気式蒸気滅菌器は、一般的には、調理台に置かれ得る独立型の装置である。それらは、水を沸騰させることによって、装置に収容された授乳用具のそばを通過する蒸気を発生させるよう機能する。この蒸気が授乳用具を滅菌し、用具上に存在し得るほぼ全ての細菌を殺す。いったん十分な蒸気が発生すると、かつ／または、授乳用具を滅菌するのに十分な時間にわたって蒸気が用具のそばを通過すると、装置はオフにされ、内容物を放冷および乾燥させる。一般的な電気式蒸気滅菌器は、水を加熱して蒸気を発生させるのに、比較的低出力の発熱体を利用する。低出力の発熱体を使用する結果、滅菌工程はかなりの時間を要し得る。さらに、滅菌工程が完了すると、用具の乾燥および冷却に長い時間がかかり得る。乳幼児の性質および授乳ルーティン上、ユーザは、一般的に、用具が乾燥するのを長時間待っているわけにはいかないため、このことが問題となり得る。
【０００５】
より高性能な電気式蒸気滅菌装置は、乾燥工程のスピードアップを助けるために装置に空気を送り込むファンをさらに備える。これらの装置は、乾燥時間は短縮されるが、より基本的な上述の装置に比べると高価である。これらの装置のコストは、ファンを設けることによって増加しているだけでなく、滅菌の終了時とファンの始動時を制御する、関連の電子制御器によっても増加している。
【課題を解決するための手段】
【０００６】
本発明は、上記の問題を解決または少なくとも軽減することを目的としており、対象物を滅菌するための装置であって、
電気発熱体と熱連通（thermal communication）する被加熱ベースを備えた、滅菌対象物を収容するためのチャンバと、
上記チャンバに空気を送り込むように構成された押込空気流装置と、
上記電気発熱体および上記押込空気流装置に電力を供給するように構成された電源回路と、
上記電源回路において上記電気発熱体と直列に配置され、上記被加熱ベースの温度を検出するために上記装置内に配置された、熱機械制御器と、
上記電源回路において上記押込空気流装置と直列に配置され、上記被加熱ベースの温度を検出するために上記装置内に配置された、感熱スイッチと、を備え、
上記装置は、上記電気発熱体が上記電源回路を介して電力を供給されることにより上記被加熱ベースを加熱し、それにより使用時には上記チャンバ内の水を加熱して上記対象物を滅菌するための蒸気を発生させる滅菌モードで動作するように構成され、上記熱機械制御器は、上記熱機械制御器が上記被加熱ベースの第１の所定温度を検出すると、上記電気発熱体への電力供給を遮断することにより上記滅菌モードを終了させるように構成され、
上記装置は、さらに、上記押込空気流装置が上記電源回路を介して電力を供給されることにより上記チャンバに空気を送り込む乾燥モードで動作するように構成され、上記感熱スイッチは、上記感熱スイッチが上記チャンバ内の水の実質的に全てが蒸気に変換されたことを示す上記被加熱ベースの第２の所定温度を検出すると、上記押込空気流装置への電力供給を接続することにより上記乾燥モードを開始させるように構成された、装置を提供する。
【０００７】
上記装置は、蒸気を生成してチャンバに収容された対象物を滅菌する滅菌モードとチャンバに空気を送り込んで滅菌済みの対象物を乾燥させる乾燥モードの２つのモードで有効に動作する。高価で複雑な電子制御器を動作制御のために利用する従来技術の装置とは異なり、本発明に係る装置は、滅菌モードの制御に熱機械制御器を利用し、乾燥モードの制御に感熱スイッチを利用する。これらの２つの構成要素が互いに独立して動作することが有利である。これらの比較的単純で安価な構成要素を設けることは、装置のコスト削減に役立ち、また、装置の信頼性も向上させ得る。さらに、下記においてより詳細に説明するように、これらの単純な構成要素の構成が実際に装置の比較的高度な制御を可能にする。
【０００８】
滅菌モードは、電気発熱体が通電されてベースを加熱してチャンバ内の水を沸騰させる場合の蒸気の活発な生成が特徴であることが理解されるであろう。しかしながら、滅菌モードは、チャンバ内の水の実質的に全てが蒸気に変換された時点、すなわち、被加熱ベースが空焚きになった時点以降も継続してもよい。蒸気が活発に生成されなくなっても、チャンバに蒸気が存在する限り、滅菌は継続し得る。さらに、乾燥モードは、押込空気流装置が通電されてチャンバに空気を送り込む場合の押込空気流の活発な生成が特徴であることが理解されるであろう。下記の説明から明らかなように、滅菌モードと乾燥モードは時間的に重複してもよい。いくつかの実施形態では、滅菌モードが終了した時に乾燥モードが開始されてもよい。しかしながら、様々な実施形態では、滅菌モードの終了から乾燥モードの開始までの間に時間的な遅延が生じる。
【０００９】
感熱スイッチは、チャンバ内の水の実質的に全てが蒸気に変換されたことを示す被加熱ベースの第２の所定温度を検出すると乾燥モードを開始させるように構成される。水が加熱されて蒸気に変換されるにつれて、装置内の水位が徐々に減少することが理解されるであろう。多くの実施形態では、被加熱ベースは発熱体からの熱を急速に拡散し、そのため、実際上は、被加熱ベースは完全に「空焚き」になり、昇温し始める。つまり、被加熱ベースは、すぐに均一な温度になり、「空焚き」状態を示すために用いられる第２の所定温度が被加熱ベースのどの部分からも検出され得る。しかしながら、水がまだチャンバ内に存在しているが被加熱ベースを完全に覆うには不十分な量であるという程度まで水位が低下する場合があることが予想される。その結果、被加熱ベースに接触して残っている水が水溜りを形成しやすいため、被加熱ベースの表面に乾燥した部分ができる。当業者に理解されるように、被加熱ベースの乾燥した部分の温度は、いくらかの沸騰水によって依然として覆われている部分よりも速く上昇する。感熱スイッチが被加熱ベースのうちのある特定の領域の温度に対してより高い感応性（sensitive）を有する場合であって、かつ、この領域が乾燥している場合、その温度は、非常に少量の水が被加熱ベースの他の領域に接触したまま残っていたとしても、第２の所定温度まで上昇し得る。したがって、水の実質的に全てが蒸気に変換された時点とは、上記の状況も包含するものである。
【００１０】
熱機械制御器と感熱スイッチとは、それぞれ、被加熱ベースの温度を検出するように構成される。好ましい一組の実施形態では、熱機械制御器と感熱スイッチとは、それぞれ独立して被加熱ベースに熱接触（thermal contact）して配置される。これは、実際上、例えば被加熱ベース上に直接装着されることによる直接熱接触であってもよく、例えば放熱板等の伝熱媒体を介した間接熱接触であってもよい。
【００１１】
出願人は、所望の滅菌および乾燥が達成される滅菌モードの終了温度と乾燥モードの開始温度に様々な順列（permutations）が存在すると認識している。しかしながら、一組の実施形態では、第１の所定温度も、チャンバ内の水の実質的に全てが蒸気に変換されたことを示す。好ましくは、第１の所定温度は、ちょうど上記水の実質的に全てが蒸気に変換された時点の被加熱ベースの温度を示す。言い換えれば、熱機械制御器が「空焚き」状態、すなわち、上記水の実質的に全てが蒸気に変換されたことを検出すると、熱機械制御器は電気発熱体への電力供給を遮断して滅菌モードを終了させる。上記に従って第１の所定温度を設定することによって、上記装置の過熱を防止することで、上記装置に過度なダメージが与えられることが回避されることがわかった。
【００１２】
一般的に、使用時に、被加熱ベースの温度は、１００℃〜１０５℃辺り（おそらく、温度が検出される厳密な場所に応じて異なる）まで上昇し、チャンバ内にまだ水が存在する滅菌モードの間はずっとそのままである。上記水の全てが蒸気に変換されるとすぐに、被加熱ベースは、その熱を放熱する媒体が無いため、急速に昇温する。上記装置は、上記装置の様々な構成要素を収容するプラスチック体を備え得る。したがって、過度に高温になる被加熱ベースは、プラスチック体に危険を及ぼし得る。このため、水の全てが蒸気に変換されたのと同時に電気発熱体への電力を遮断する熱機械制御器を設けることにより、被加熱ベースが過熱することが防止されるため、上記装置にダメージが与えられることが回避される。いくつかの実施形態では、第１の所定温度は１２５〜１５５℃に設定される。これは熱機械制御器によって検出される温度であり、当然のことながら、被加熱ベースが均一な温度分布を有していない場合もある。
【００１３】
当業者に理解されるように、熱機械制御器によって検出される温度は、熱機械制御器が被加熱ベースに熱接触して配置される方法に大きく依存し得る。例えば、熱機械制御器が被加熱ベースの直接加熱される部分に熱接触して配置される場合は、第１の所定温度は、熱機械制御器が被加熱ベースの直接加熱される部分から離れた部分に熱接触して配置される場合よりも高い温度に設定され得る。これは、直接加熱される部分が発熱体の温度に対してより高い感応性を有し、被加熱ベースの平均温度よりも高い温度になるためである。熱機械制御器が被加熱ベースの直接加熱される部分からさらに離れた被加熱ベースの部分に熱接触して配置される場合、発熱体からの熱が被加熱ベースを通じて熱機械制御器に放散されるまでにより長い時間を要し、それゆえ、熱機械制御器によって検出される温度は被加熱ベースの平均温度よりもかなり低くなりやすい。したがって、このように配置される場合、第１の所定温度はより低く設定され得る。熱機械制御器と被加熱ベースとの熱接触の程度も、所与の位置において検出される温度に影響し得る。同じ推論は、以下でさらに説明するように、感熱スイッチによって検出される温度に関しても当てはまる。
【００１４】
熱機械制御器と感熱スイッチとは、被加熱ベースの同一部分の温度を独立して検出するように装置内に配置されてもよい。しかしながら、各構成要素を被加熱ベースの全く同一の部分に対して感応性を有するように搭載するのは困難なことがある。そのため、一組の実施形態では、熱機械制御器と感熱スイッチとが、被加熱ベースの異なる部分の温度に対して感応性を有するように構成される。理解されるように、これらの部分の検出温度は、例えばそれぞれの電気発熱体への近さに応じて異なっていてもよく、あるいは、これらの部分の検出温度は同等であってもよい。
【００１５】
当業者に理解されるように、上記水の実質的に全てが蒸気に変換された時点に対応する厳密な検出温度は、周囲気圧を含む様々な要因によって決まる。第１および第２の所定温度は、経験的に、例えばありそうな環境条件に基づいて、決定されてもよい。
【００１６】
熱機械制御器は、手動でリセットされるまでは電気発熱体を電源から切断したままにしておくように構成されてもよい。熱機械制御器は、第１の所定温度が検出されると動作させられるトリップレバーを含んでいてもよい。この温度が、被加熱ベースが冷めるとリセットするバイメタルアクチュエータによって検出された場合でも、トリップレバーの動作により、例えばユーザが上記装置を再始動させるために手動のオンスイッチを操作して制御器がリセットされるまでは、電源が再接続されないことが確実になる。このような熱機械制御器はよく知られている。上記熱機械制御器は、出願人のＵシリーズの制御器の１つであってもよい。
【００１７】
一般的な電気発熱体の性質により、電気発熱体が電源から切断されたとき、電気発熱体内には、放散して被加熱ベースをさらに加熱することが可能な余熱が残っていることが多い。その結果、一般的に、滅菌モードが終了したとき、被加熱ベースの検出温度は上昇し続ける。出願人は、この余熱を乾燥モードに利用できると認識している。押込空気流装置がチャンバに空気を送り込むとき、空気は、被加熱ベースのそばを通過し、該ベースから熱を取り出して、チャンバ内の空気を加熱し、それゆえ、乾燥工程を加速させる。水の実質的に全てが蒸気に変換されたと同時に電気発熱体が電源から切断される上記の実施形態の代替的な実施形態では、第１の所定温度は、上記水の実質的に全てが蒸気に変換された時点を示す検出温度よりも高い温度に設定され得る。言い換えれば、電気発熱体は、水の全てが蒸気に変換された後も一定期間動作状態にある。このような実施形態では、第１の所定温度は１５５℃よりも高く設定され得る。このことは、電気発熱体が発生させる熱を、該ベースを加熱し続けてチャンバ内の空気を加熱して乾燥工程を加速させるために使用し得るため、有利である。当然のことながら、この実施形態では、電気発熱体が電源から最終的に切断されたとき、被加熱ベースは、同様に、発熱体の余熱によりチャンバ内の空気を加熱し続ける。
【００１８】
乾燥モードを開始させるために用いられる第２の所定温度は、水の実質的に全てが蒸気に変換されたことを示すが、必ずしもこれが最初に起こった温度とは限らない。例えば、被加熱ベースについて１２５〜１５５℃の検出温度が、上記水の実質的に全てが蒸気に変換された時点を表すと経験的に定められてもよいが、第２の所定温度はより高い値に設定されてもよい。感熱スイッチが熱機械制御器と同一または同等の被加熱ベースの部分に対して感熱性を有するように構成される実施形態では、第２の所定温度は、１７５〜１９５℃以上、好ましくは、例えば１９０℃に設定され得る。これらの実施形態では、滅菌モードの終了から乾燥モードの開始までの間に時間的な遅延が生じ得る。１２５〜１５５℃の検出温度で水の実質的に全てが蒸気に変換されていることがわかっているとすれば、１７５℃では水の実質的に全てが蒸気に変換されているはずであることが理解されるであろう。したがって、第２の所定温度は、単に、乾燥モードの開始時にチャンバ内に液体の水が実質的に残っていないことを示す検出温度である。ただし、感熱スイッチが、被加熱ベースのうちの熱機械制御器が感応性を有する部分よりも電気発熱体による直接加熱の度合いが低くその部分よりも低温となる部分に対して、感応性を有するように構成される実施形態では、第２の所定温度は、このより低温の領域に対応するように調整されてもよい。一組のこのような実施形態では、第２の所定温度は、１１５〜１４０℃、好ましくは、例えば１３０℃に設定される。そのため、実際の検出温度は第１の所定温度よりも低くなるかもしれないが、第２の所定温度は、被加熱ベースのより高い平均温度と同等であってもよい。これらの実施形態でも、滅菌モードの終了から乾燥モードの開始までの間に時間的な遅延が生じてもよい。
【００１９】
熱機械制御器と感熱スイッチとが、被加熱ベースの実質的に同一部分、または被加熱ベースの実質的に同一温度である同等部分、に対して感応性を有するように構成される実施形態では、第１および第２の所定温度が同一温度に設定され得る、すなわち、滅菌モードが終了するとすぐに乾燥モードが始まる。しかしながら、好ましい一組の実施形態では、第２の所定温度は、第１の所定温度よりも高い。言い換えれば、上記装置は、当初は滅菌モードで動作し、第１の所定温度に達するとこのモードが終了し、その後少しの遅延が生じ、その間に被加熱ベースの温度が第２の所定温度まで上昇し、乾燥モードが開始されるというように構成される。第１および第２の所定温度は、上記の動作順序を達成するために、例えば熱機械制御器と感熱スイッチとの相対的な感熱度に応じて、調整され得ることが理解されるであろう。このため、少なくともいくつかの実施形態では、第１の所定温度と第２の所定温度とは、滅菌モードが終了してから乾燥モードが開始されるまでの間に時間的な遅延が生じるように選択される。
【００２０】
いくつかの例では、上記装置は、対象物が十分に乾燥しているとユーザが考えた場合に手動でオフにされて乾燥モードを終了させてもよい。しかしながら、これにはユーザの介入が必要である。いくつかの例では、乾燥モードをタイマーによって終了させてもよい。しかしながら、これは制御回路に余分な複雑さを与えるものである。出願人は、上記装置が自動的に乾燥モードを終了させる単純かつ有効な方法を考え出した。一組の実施形態では、感熱スイッチは、上記装置内の対象物が乾燥して冷めたことを示す第３の所定温度を検出すると押込空気流装置への電力供給を遮断することによって乾燥モードを終了させるように構成される。感熱スイッチが被加熱ベースのうちの熱機械制御器と同じ部分、または同等の部分、に対して感応性を有するさらなる一組の実施形態では、第３の所定温度は１４０〜１６０℃、好ましくは１５０℃に設定される。同様に、感熱スイッチが被加熱ベースのうちの熱機械制御器よりも低温の部分に対して感応性を有するさらなる一組の実施形態では、第３の所定温度は８０〜１００℃、好ましくは９０℃に設定される。出願人は、被加熱ベースの温度がこの範囲または好ましい温度まで下がれば、上記装置内の対象物は十分に乾燥しているはずであり、チャンバの温度が十分に低くなっており、ユーザが上記装置から対象物を取り出して使用し得ると認識している。第３の所定温度の厳密な値は、乾燥時間を変更するために調整され得る。
【００２１】
感熱スイッチを電源への接続および電源からの切断を行うための手段として用いることによって、乾燥モードを開始および終了させるための単純で費用効果の高い解決策が得られる。このため、上記装置は、乾燥モードの動作期間を制御するためのタイマーに依存するものではないことが理解されるであろう。好ましくは、感熱スイッチは、感熱アクチュエータによって動作させられる常開型スイッチを含む。感熱アクチュエータは、第２の所定温度（例えば、感熱スイッチが被加熱ベースのうちの熱機械制御器よりも低温の部分に対して感応性を有する実施形態では、１１５〜１４０℃）を検出すると、該スイッチを閉じるように動作し得る。感熱アクチュエータは、第３の所定温度（例えば、９０℃）を検出するとスイッチを再び開くように動作し得る。感熱アクチュエータは、「１／２インチディスク」として一般に知られるバイメタルアクチュエータであってもよい。
【００２２】
電気発熱体は、被加熱ベースに直接装着されてもよい。しかしながら、出願人は、電気発熱体からの熱を被加熱ベースにより均一に分散させ、ひいてはチャンバ内の水をより均一に加熱するためには、電気発熱体と被加熱ベースとの間に放熱板を設けることが有利であると認識している。そのため、一組の実施形態では、チャンバは、被加熱ベースと電気発熱体との間に配置された放熱板をさらに備える。
【００２３】
電気発熱体は、熱を生成して被加熱ベースに伝達するための、任意の適切な形状を有する任意の適切な電気発熱体であり得る。しかしながら、円弧状の電気発熱体を使用することが特に有利である。そのため、一組の実施形態では、電気発熱体は、円弧形状に構成され、該円弧形状の第１端および第２端を規定する電気的終端（いわゆる「コールドテール」）を備える。この種の電気発熱体を設けることは、電気発熱体の中心に熱機械制御器を設置し得る空隙が形成されるため、特に有利である。この領域に熱機械制御器を設置することは、被加熱ベースの温度に対する感度の高い制御を行うことを確実にでき、上記装置を小型に維持するのにも役立つ。
【００２４】
さらに、円弧状の電気発熱体を設けることによって、被加熱ベースのうちの間接加熱される部分がコールドテール間に位置することになる。さらなる一組の実施形態では、感熱スイッチは、上記電気的終端間の被加熱ベースの温度を検出するように構成される。感熱スイッチをこの間接加熱される部分に配置することは、感熱スイッチが被加熱ベース全体の温度を示し、電気発熱体自体の温度に対してはより感応性が低くなるため、有利である。被加熱ベースの温度はチャンバ内の水の温度にもチャンバ内に水が無いことにもより直接的に対応するため、電気発熱体ではなく被加熱ベースの温度を感知することによって、チャンバ内の水の状態がより正確に示される。前述のように、感熱スイッチを被加熱ベースのうちのより低温の部分に対して有効に感応性を有するように構成する場合は、それでもなお第２の所定温度が水の全てが蒸気に変換されたことを示すように第２の所定温度をそれに応じて調整することが必要である。第３の所定温度の設定も同様である。
【００２５】
電気発熱体は、単一の発熱体を含んでいてもよく、複数の発熱体を含んでいてもよい。電気発熱体は、シーズ発熱体であってもよく、厚膜発熱体であってもよい。
【００２６】
感熱スイッチの機能は、発熱体からの余熱が被加熱ベースによって乾燥後のチャンバに分散された後で、押込空気流装置への電力供給を接続することである。押込空気流装置は、その後、蓄熱された熱を循環させることができる。
【００２７】
押込空気流装置は、上記装置内の任意の適切な位置、例えばチャンバの基部または上部、に配置され得る。しかしながら、好ましい一組の実施形態では、押込空気流装置はチャンバの側壁に配置される。
【００２８】
押込空気流装置は、チャンバ内に既に存在する空気の方向を変えてチャンバ中に向かわせるように構成されてもよい。しかしながら、好ましい一組の実施形態では、押込空気流装置は、上記装置が置かれた環境からの空気をチャンバに送り込むように構成される。有効に「新鮮な」空気をこのように導入することは、チャンバ内の空気よりもチャンバに導入された空気の方が湿度が低い、すなわち、含水率が低いためにより湿度が高い空気を追い出すのに役立ち、かつ、上記装置内の水分を取り込む能力がより高いために乾燥工程を加速させるのに役立つため、有利であることがわかった。
【００２９】
押込空気流装置は、チャンバに空気を押し込むための任意の適切な装置を備えていてもよい。一組の実施形態では、押込空気流装置は電動ファンを備える。電動ファンは、直流ファンであってもよいが、直流電源を設ける必要がなくなるので交流ファンであることが好ましい。あるいは、押込空気流装置は、ファンがない空気ポンプ、例えば、容積式ポンプを備えていてもよい。
【００３０】
押込空気流装置は、単にチャンバに空気を押し込むことにより、対象物を乾燥させるのに十分となる空気の乱流を発生させるものであってもよい。しかしながら、一組の実施形態では、上記装置は、押込空気流装置の下流に位置し、空気をチャンバの特定の部分に向かわせるための空気方向付け手段をさらに備える。さらなる一組の実施形態では、空気方向付け手段は、空気の第１の部分をチャンバの上側部分に向かわせ、かつ／または、空気の第２の部分をチャンバの中央部分に向かわせ、かつ／または、空気の第３の部分をチャンバの下側部分に向かわせるように構成される。本出願人は、空気をこのように方向付けることは、様々な理由から特に有利であると認識している。空気をチャンバの上部に向かわせることは、チャンバ内の空気と蒸気とを、例えば蓋に通気口が設けられている場合は該通気口から、上記装置の外に向かわせるのに役立つ。このようにしてチャンバから蒸気を外に出すことは、チャンバの内容物を乾燥させるのに役立つ。さらに、空気をチャンバの下側部分に向かわせることによって、空気が被加熱ベースに接触して被加熱ベースから熱または余熱を取り出し、それによって被加熱ベースを冷却するとともに空気を加熱し、この空気が乾燥工程を支援する。空気方向付け手段は、空気流の方向付けが可能な任意の適切な構造によって提供され得る。一組の実施形態では、空気方向付け手段は、空気流を方向付けるために１つまたは複数の羽根を備えたバッフルによって提供される。
【００３１】
代替的な一組の実施形態では、空気方向付け手段は、チャンバ内で押込空気流装置の下流に配置されて、押込空気流装置によって駆動された空気の少なくとも一部分を、使用時のチャンバに収容された対象物上および／または対象物内に直接向かわせる導管を備える。さらなる一組の実施形態では、導管は、押込空気流装置によって駆動された空気の全てを方向付ける。乾燥モードにおいては、対象物の濡れた部分に細菌が増殖するのを避けるために各対象物の全体を完全に乾燥させることが重要である。したがって、空気の少なくとも一部分をチャンバ内の対象物内に向かわせることによって、対象物のいかなる内部表面をもより容易に乾燥させることができる。
【００３２】
上記装置の主な目的はチャンバ内に置かれた対象物を滅菌することであるであるため、チャンバが、特に滅菌モードの終了後には、無菌状態であることを確実にすることが重要である。理解されるように、乾燥モードにおいてチャンバに空気を送り込むことで、上記装置の内部の滅菌済み対象物が空中浮遊菌の通過によって汚染されるリスクが高まるというリスクがある。そのため、一組の実施形態では、上記装置は、押込空気流装置によって送り込まれる空気をろ過するように構成されたエアフィルタをさらに備える。エアフィルタは、任意の適切なフィルタ、例えば、高性能微粒子フィルタ（ＨＥＰＡフィルタ）であってよい。
【００３３】
エアフィルタは、押込空気流装置の上流に配置され得る。しかしながら、有利な一組の実施形態では、エアフィルタは押込空気流装置の下流に配置される。出願人は、エアフィルタを押込空気流装置の下流に配置することが複数の理由から有利であると認識している。例えば、押込空気流装置によってチャンバに送り込まれる空気の全てがろ過されることが確実である。さらに、この下流の位置においては、エアフィルタは、滅菌モードにおけるバッフルとして、蒸気が押込空気流装置を通ってチャンバから漏出することを防止するために作用することも可能である。蒸気が押込空気流装置を逆流するのを防止することは、蒸気がチャンバ内にとどまって内容物を滅菌することを確実にするのに役立つが、水分が押込空気流装置に到達することを防止するのにも役立ち、ひいては、その電気部品が水分によるダメージを受けることを回避する。その上、エアフィルタのそばを通過する蒸気がエアフィルタも加熱し、有利には、そのことによってエアフィルタ自体が滅菌され得る。
【００３４】
前述のように、特に上記装置が授乳用具の滅菌に用いられる場合には、迅速な滅菌・乾燥工程が有利であり、そのため、上記装置はチャンバ内の水を急速に沸騰させて蒸気を発生させる能力を有することが望ましい。一組の実施形態では、電気発熱体は、２ｋＷ以上、好ましくは２〜３ｋＷ、理想的には約３ｋＷの出力を有する。高出力の電気発熱体を設けることによって、チャンバ内の水の量にもよるが、上記装置が水を急速に沸騰させて蒸気を迅速に発生させることが可能になりやすい。さらに、高出力の発熱体は、乾燥モードにおいて循環させることができる大量の余熱も提供する。
【００３５】
チャンバ内の水の量によって水を沸騰するまで加熱するのに要する時間とそれ以後に水の全てを蒸気に変換するのに要する時間とが決まるため、チャンバ内の水の量は上記装置の滅菌モードでの動作時間の長さに影響する。チャンバ内の水の量は、蒸気に変換された場合に対象物の全てを滅菌するのに十分な多さでなければならない。そのため、一組の実施形態では、チャンバは、滅菌モードで沸騰させるための水を５０〜１５０ｍｌ、好ましくは、１００ｍｌ収容できるように構成される。出願人は、この水量は、蒸気に変換するのに十分な量であり、かつ、滅菌モードを比較的短時間にするのに十分に少ない量であるため、特に適切であると認識している。
【００３６】
被加熱ベースは、使用時にチャンバ内で水を加熱することが可能な任意の適切な形態をとり得る。例えば、被加熱ベースは、チャンバの基部において平板の形態であってもよい。しかしながら、好ましい一組の実施形態では、被加熱ベースは、その中心に、水を収容するための窪みを備える。この窪みは、被加熱ベースに水が滞留する凹んだ部分を有効に形成する。出願人は、適切な大きさを有する窪みを設け、その窪みだけを満たすかもしくは窪みを少し越えるのに足りるだけの水が上記装置に注水されることによって、滅菌モードが開始されるとチャンバ内の水の全てがすぐに加熱され、その結果、蒸気が急速に発生すると認識している。このことは、窪みとチャンバの十分な部分とが満たされるように上記装置に大量の水を注ぐのとは対照的である。それは、窪みの中の水とは違ってチャンバ内の水の部分は被加熱ベースに直接接触せず、それゆえ、蒸気を発生させるのにより長い時間がかかるためである。
【００３７】
蒸気の発生速度、ひいては上記装置の滅菌モードでの動作時間は、少なくとも部分的に、チャンバからの蒸気の漏れやすさとチャンバ内の圧力とによって決まる。一組の実施形態では、上記装置は、チャンバを閉じるように構成された蓋をさらに備える。蓋を設けることは、チャンバからの蒸気の漏れを少なくとも制限してチャンバ内の圧力を高めるのに役立つ。そのため、この蓋は、蒸気の発生速度を上げて滅菌モードの動作時間を短縮するように作用する。前述のように、上記装置が対象物の滅菌に要する時間を短縮することは一般的に好ましい。
【００３８】
蓋を設けることがチャンバ内の圧力を高めて蒸気の発生速度を上げるのに役立つ一方で、圧力の上昇が大き過ぎないことが重要である。圧力の上昇が大き過ぎると、上記装置にダメージを与えるか、高圧下のチャンバから熱い蒸気が噴出してユーザに危害を及ぼすためである。そのため、一組の実施形態では、蓋は、チャンバから蒸気を流出させるように構成された少なくとも１つの通気口を備える。蓋の通気口は、滅菌モードの間にいくらかの蒸気を漏出させて圧力が潜在的に危険なレベルまで上昇することを防止する。さらに、該少なくとも１つの通気口は、空気が強制的にチャンバに送り込まれる乾燥モードにおいて蒸気と空気を上記装置から漏出させるための手段も提供する。
【００３９】
チャンバに収容される対象物は、単にチャンバに入れて、被加熱ベースに載せるだけであってもよい。しかしながら、被加熱ベースは一般的に高温に達するため、対象物をこのように配置することは、該対象物がダメージを受ける結果となり得る。そのため、一組の実施形態では、上記装置は、対象物を被加熱ベースから離して支持するための支持構造をさらに備える。滅菌対象物を被加熱ベースから離して支持する支持構造は、対象物が被加熱ベースによってダメージを受けることを防止するのに役立つ。
【００４０】
支持構造は、対象物を支持するための任意の適切な手段であり得、例えば、支持構造は、対象物を吊るすための手段、例えば、チャンバの上部から吊り下げられたフックを備える。しかしながら、一組の実施形態では、支持構造は、対象物を被加熱ベースから離して支持するためにチャンバ内に配置された少なくとも１つのトレイ部材を備える。さらなる一組の実施形態では、上記装置は、複数のトレイ部材を備える。これらのトレイ部材は、対象物をトレイ部材上に支持するのを支援するために支持機能を備えていてもよい。例えば、トレイ部材は、乳幼児の哺乳瓶等の特定の対象物を支持するための大きさおよび形状を有する複数のボスを備えていてもよい。
【００４１】
上記装置内で発生させた蒸気がチャンバ中を流れて滅菌中の対象物のそばを通過するには、蒸気が支持構造を通り抜けなければならない。少なくとも１つのトレイ部材を備える実施形態では、該少なくとも１つのトレイ部材は、蒸気を通り抜けさせるように構成された少なくとも１つの孔を備えることが好ましい。さらに、支持機能を備えた少なくとも１つのトレイ部材を備える実施形態では、該支持機能を貫通する孔、または少なくとも該支持機能に隣接する孔が、該支持機能に設けられることが好ましい。例えば、支持機能がボスを含む場合は、ボスを貫通する孔が存在し得る。理解されるように、哺乳瓶等の対象物を逆さにして、すなわち、哺乳瓶の開口部の口にボスが入り込んだ状態で、ボスに置くと、孔によって、蒸気が瓶の中に流れ込み、瓶の内側を滅菌することができる。あるいは、孔が例えばボスとして形成された支持機能に隣接して配置されている場合は、瓶を、瓶の口が少なくとも部分的に孔も覆うようにボスに被せてもよい。上記の例と同様に、これにより、蒸気が瓶の内側に流れ込むことが可能になる。
【００４２】
導管と、貫通孔または少なくとも隣接する孔が設けられた支持機能を有する少なくとも１つのトレイ部材とを備えた空気方向付け手段を備える実施形態では、空気方向付け手段の導管は、孔に直接接続されることが好ましい。したがって、これにより、対象物、例えば瓶が支持機能上に置かれたときに、空気が対象物の内側に向かわせられて乾燥工程を支援することが確実になる。そのような一組の実施形態では、導管は孔の一部、例えば孔の半分に、空気を導管に接続されていない孔の別の部分から孔の外に出し得るように、接続されることが好ましい。孔から流れ出た空気は、さらに進んで被加熱ベースのそばを通過することによって加熱し、その後、チャンバ内の他の対象物の周りを通過する。
【００４３】
前述のように、押込空気流装置が動作状態にある乾燥工程を加速させるために、被加熱ベースが乾燥モードにおいて動作を継続してもよく、あるいは、被加熱ベースの余熱を利用してもよい。出願人は、追加の電気発熱体を設けることによって乾燥モードがさらに加速され得ると認識している。そのため、別の一組の実施形態では、上記装置は、電源回路において押込空気流装置と直列に配置され、それによって乾燥モードの動作時に動作するように構成された、追加の電気発熱体をさらに備える。追加の電気発熱体は、チャンバ内の空気を加熱することが可能なように、上記装置内の任意の適切な位置に配置され得る。例えば、追加の発熱体は、チャンバの中に配置されてチャンバ内の空気にさらされてもよく、例えば、浸漬発熱体であってもよい。あるいは、追加の発熱体は、押込空気流装置によって方向付けられた空気流中に直接設けられてもよい、すなわち、押込空気流装置のすぐ下流に設けられてもよい。有利には、この構成において、押込空気流によって方向付けられた空気の全てが加熱される。追加の発熱体は、任意の適切な種類のもの、例えば、シーズ発熱体やコイル状の線材からなる発熱体であってもよい。乾燥モード時にチャンバ内の空気を加熱するために追加の発熱体を設けることによって、押込空気流装置によってチャンバ中を循環させられる空気の温度が上昇し、そのように温度が上昇することで、上記装置内の対象物上に凝縮した水がより早く乾く。
【図面の簡単な説明】
【００４４】
ここで、添付図面を参照しながら、本発明のいくつかの好適な実施形態を単に例示の目的で説明する。添付図面において、
図１は、本発明の一実施形態に係る装置の等角図を示し、
図２は、図１に示す装置の背面図を示し、
図３は、図１に示す装置の正面から見た断面図を示し、
図４は、外壁と蓋とを取り除いた図１に示す装置の等角図を示し、
図５は、図３および図４に示す被加熱ベースプレートの下側から見た図を示し、
図６は、図１〜図５に示す装置用の電源回路を示し、
図７は、装置の他の部分から分離された空気流方向付け手段を示し、
図８は、図７に示す空気流方向付け手段の断面図を示し、
図９は、３つの異なる装置の加熱／滅菌時間と乾燥時間との関係のグラフを示し、
図１０は、本発明の代替的な一実施形態に係る装置の等角図を示し、
図１１は、図１０の装置の側面から見た断面図を示し、
図１２は、バッフルおよび下側支持トレイの下側から見た図を示し、
図１３は、図１２に示すバッフルおよび下側支持トレイの同じ下側から見た図をベースプレートが取り付けられた状態で示す。
【発明を実施するための形態】
【００４５】
図１に、対象物、具体的には哺乳瓶とそれらの関連パーツとを滅菌するための装置２を示す。装置２は、蓋６によって上部が閉じられたメインチャンバ４を画定する外壁３を備える。蓋６は、装置２に収容された対象物がユーザに見えるように、透明または半透明であってもよい。蓋６は、装置２内で発生させた蒸気を逃がすように構成された一連の通気口８を備える。装置２の背面には、交流電動ファン１０の形態の押込空気流生成装置が配置されている。ファン１０は、空気取入口ガード１２によって保護されている。この構成要素については後でさらなる図面を参照しながら説明する。装置２は、装置２に電力を提供するために任意の適切な電源に接続され得る電源コード１４を備える。
【００４６】
装置２は、チャンバ４の上部に配置された上棚１６をさらに備える。上棚１６は、蒸気がチャンバ４から上棚１６を通り抜けて蓋６によって画定された空間へと流入することを可能にする複数の孔１８を備える。この特定の実施形態では、装置２は、哺乳瓶およびそれらの関連パーツを滅菌するのに適しており、それゆえ、図示するように、上棚１６の上部には、乳首２０や瓶蓋２２を含むいくつかの哺乳瓶パーツが置かれる。蓋６は、これらのパーツを収容できるような大きさを有している。また、上棚１６には、各パーツを所定の場所に固定するために用いられ得る締付リング２４も設けられている。図示した実施形態では、締付リング２４は、乳首２０を所定の位置に固定するために用いられている。装置２は、装置をオンオフするために用いることができる電源スイッチ２６をさらに備える。図示した実施形態は、交流電動ファン１０を利用するものであるが、これを直流電動ファン、例えば１２Ｖまたは２４Ｖの直流ファンに置き換えることは容易にできる。そのような実施形態では、直流ファンに電力を供給するための直流電源（図示せず）が装置２の背面のハウジング２８内に配置され得る。直流電源はＡＣ−ＤＣ電源によって提供されてもよい。
【００４７】
使用時には、後でさらなる図面を参照しながらより詳細に説明するように、チャンバ４内で蒸気が生成され、それにより、蒸気がチャンバ４内の対象物を滅菌する。チャンバ４内で生成された蒸気は、上棚１６の孔１８も通り抜けて乳首２０や瓶蓋２２のそばを通過し、それらを滅菌する。
【００４８】
図２は、図１に示す装置２の背面図を示す。ファン１０と関連の空気取入口ガード１２とが装置２の背面に装着されていることがわかる。ファン１０に電力を供給するための１２Ｖ電源（図示せず）を収容するハウジング２８は、該１２Ｖ電源の過熱を防止するために冷却用通気口３０を備える。図示した実施形態では、通気口３０は、ハウジング２８に設けられた一連の孔を含む。
【００４９】
図３は、正面から見た装置２の断面図を示す。図３は、装置２の内部構成要素を示している。図３からわかるように、チャンバ４は、外壁３によって画定される。外壁３は、その下側部分に、内向きに突出する環状部３２を含む。この内向きに突出する環状部３２がその中心に孔を有効に画定していることが理解されるであろう。図３に示す実施形態では、この孔は被加熱ベース３４によって塞がれている。被加熱ベース３４は、チャンバ４の底を封止するように、内向きに突出する環状部３２に篏合するベースプレート３６を備える。ベースプレート３６は、皿状に形成されており、それにより、水が滞留し得る窪み３８をチャンバ４の底に形成している。ベースプレート３６の下面には放熱板４０が装着されている。放熱板４０の下方に、シーズ発熱体４２が装着されている。シーズ発熱体４２とベースプレート３６との間に挟まれた放熱板４０の目的は、熱をベースプレート３６全体にわたってより均一に分散させることである。後述する図面から明らかになるように、シーズ発熱体４２は円弧状の形状であるため、その中心には空隙がある。この空隙内に熱機械制御器４４が装着されており、シーズ発熱体４２を連動制御するように構成されている。
【００５０】
被加熱ベース３４の鉛直上方には、被加熱ベース３４から間隔を置いて、下棚４６が配置されている。下棚４６は、後述する図面においてより明確に示される一連の孔４８を備える。下棚４６は、滅菌対象物を支持するための、鉛直上方に延びる複数のボス５０も備える。下棚４６は、複数の下方に延出する脚５２によって、チャンバ４内に装着される。脚５２は、外壁３の内向きに突出する環状部３２に載せられており、下棚４６をチャンバ４内で支持している。脚５２は、被加熱ベース３４と下棚４６との間にエアスペースが確保されるように十分な長さを有している。理解されるように、下棚４６を装置２、例えば外壁３、に物理的に装着するのではなくチャンバ４内に載置することによって、必要に応じて、例えば、下棚４６の下方の空間にアクセスするために、ユーザが下トレイ４６を取り外すことがより容易になり得る。図３では見えないが、下棚４６は、下棚４６の周りに等角度で配置された複数の脚５２を備えていてもよい。あるいは、下棚４６には、別々の脚５２ではなく、連続したリムが設けられてもよい。
【００５１】
上述のように、下棚４６は複数のボス５０を備える。ボス５０は、滅菌対象物を下棚４６上に位置決めするために用いられ得る。図３に示すように、ボス５０は、瓶５４の口５６に入る形状および大きさを有しているため、瓶５４を位置決めするのに用いられ得る。複数のボス５０を設けることによって、ユーザがチャンバ４内に瓶５０を位置決めしやすくなり得る。そのうえ、後述する図面においてより明確にわかるように、ボス５０はそれぞれ、下棚４６を貫通する孔４８を備えており、蒸気を通り抜けさせる。そのため、有利には、瓶５４をボス５０に被せて置くことによって、装置２が蒸気を発生させたときに蒸気がボス５０に位置する孔４８を介して瓶５４の内部に送り込まれることが確実になり、それにより、瓶５４の内部が滅菌されることが確実になる。図３から明らかなように、外壁３は、図示するような一対の哺乳瓶を収めるのに適切な大きさを有するチャンバ４を画定するような寸法を有している。
【００５２】
チャンバ４の内部の奥に、バッフル５７の形態の空気流方向付け手段が見える。バッフル５７は、ファン１０（図３では見えない）からの空気を、チャンバ４中に、様々な方向に向かわせる。バッフルの下には、ファン１０からの空気をチャンバ４への流入前にろ過するように構成されたエアフィルタ（やはり見えない）がある。エアフィルタは、任意の適切なフィルタ、例えば、高性能微粒子フィルタ（ＨＥＰＡフィルタ）であってよい。
【００５３】
外壁３の上部に上棚１６が取り付けられている。上棚１６は、外壁３の内側面の外周溝６０に係合する外周フランジ５８を備える。外壁３および／または上棚１６の材料の固有の柔軟性によって、外壁３に対する上棚１６の着脱は、フランジ５８と溝６０との係合を介して容易に行うことができる。
【００５４】
図４は、装置２の斜視図を示す。ただし、装置２の内部構成要素をより明確に示すために、外壁３と蓋６とが取り除かれている。図４からわかるように、下棚４６のボス５０内に位置決めされた孔４８は、孔４８を通り抜けた蒸気が瓶５４に流入するようになっている。さらに、上棚１６には、上棚１６の表面の大部分にわたって分散された複数の孔１８が、乳首２０や瓶蓋２２がどこに置かれるかに関係なく蒸気がそれらの内部表面に到達してそれらを滅菌することが可能なように、設けられている。
【００５５】
図５は、被加熱ベース３４とその関連構成要素との下側から見た図であり、装置のその他の構成要素は明瞭化のために取り除かれている。図５からより明確にわかるように、被加熱ベース３４は、放熱板４０が取り付けられたベースプレート３６を備える。放熱板４０の外周領域の周りに、円弧状の形状に沿うシーズ発熱体４２が取り付けられている。シーズ発熱体４２は、任意の適切な手段、例えば、ろう付けまたは溶接により放熱板４０に取り付けられてもよい。シーズ発熱体４２は、電力源、例えば、図６の電源回路に係るものかその他のもの、に接続され得る「コールドテール」すなわち電気的終端６２を両方の端に備える。
【００５６】
放熱板４０には、円弧状のシーズ発熱体４２によって画定される中央空隙の内側に配置された熱機械制御器４４が取り付けられている。熱機械制御器４４は、放熱板４０の温度に対する感応性を有し、被加熱ベース３４の温度を検出するように構成された一対のバイメタルアクチュエータ（図５では見えない）を備える。バイメタルアクチュエータは、熱機械制御器４４内の電気スイッチに接続され、シーズ発熱体４２への電力を接続・遮断する。
【００５７】
図５では、シーズ発熱体４２のコールドテール６２間のスペースにおいて放熱板４０に取り付けられた感熱スイッチ６４も見えている。感熱スイッチ６４は、一般に入手可能な１／２インチディスク等のバイメタルアクチュエータであってもよい。感熱スイッチ６４は、ファン１０と直列に電気接続され得る第１の電気端子６６と第２の電気端子６８とを備える。したがって、感熱スイッチ６４は、それによりファン１０への電力の接続を制御する。
【００５８】
図６は、装置２に用いられ得る電源回路を概略的に示す。該電気回路は、ライブ電源レール７０とニュートラル電源レール７２とを備える。ライブ電源レール７０とニュートラル電源レール７２との間にシーズ発熱体４２が接続されている。シーズ発熱体４２は、熱機械制御器４４に電気的に接続されている。熱機械制御器４４は、シーズ発熱体４２の一端に接続された第１のバイメタルスイッチ７４と、シーズ発熱体４２の他端に接続された第２のバイメタルスイッチ７６とを備える。熱機械制御器４４は、第１の光インジケータ８０とも直列に接続されたオン／オフスイッチ７８も備える。第１の光インジケータ８０は、例えばＬＥＤである。
【００５９】
ライブ電源レール７０とニュートラル電源レール７２との間には電動ファン１０も接続されている。感熱スイッチ６４がファン１０と直列に電気接続されている。また、第２の光インジケータ８１がファン１０と並列に電気接続されている。
【００６０】
当業者に理解されるように、オン／オフスイッチ７８がオン位置に切り替えられると、発熱体４２は、電力を受け取り始め、滅菌モードで加熱する。感熱スイッチ６４は、乾燥モードを開始する温度が検出されるまではファン１０に電力が供給されないように、常開型である。下記において、電源回路の動作をより詳細に説明する。
【００６１】
図７は、装置２の他の構成要素から分離されたバッフル５７を示し、図８は、側面から見たバッフル５７の断面図を示す。図７および図８からわかるように、バッフル５７は、一連の平行な羽根８２を備える。
【００６２】
空気は、バッフル５７の第１のガイド壁８４および第２のガイド壁８６によって方向付けられる。これらのガイド壁は次第に羽根８２に至っている。第１のガイド壁８４は、羽根８２の上部から斜め下方に延び、第２のガイド壁は、羽根８２の下部から斜め上方に延びている。これらのガイド壁８２および８４は、バッフル５７を通過する空気を３つの部分、すなわち上向きに進む部分８８と中央を進む部分９０と下向きに進む部分９２とに有効に分割する。したがって、バッフル５７がファン１０の下流に置かれた場合は、ファン１０によってバッフル５７へ向かって押し込まれた空気が３つの部分に分けられ、チャンバ４の上側部分、中央部分、および下側部分へ向かわせられる。このようにしてチャンバ４中に空気を向かわせることは、装置の乾燥工程を加速させるのを支援し、それによって、瓶５４や乳首２０や蓋２２をより早く再使用することを可能にする。
【００６３】
図９は、装置２が滅菌モードおよび乾燥モードに費やす時間を示す実験データのグラフを示す。グラフは、時間に対する温度の３つのプロット図を示す。温度は、感熱スイッチ６４の位置で計測された被加熱ベース３４の温度である。プロット図のそれぞれについて、０秒から約６０秒までの期間は滅菌モードでの装置２の動作に対応している。このモードでは、温度は１００℃辺りまで上昇し、沸騰水の全てが蒸気に変換されるまでそのままである。この時点、つまり約６０秒において、水の全てが沸騰して無くなり、蒸気を発生させている。すると、被加熱ベース３４の温度は、その熱を放散させる媒体が無いため、急速に上昇する。このことは、プロット図において６０秒以降の急激な温度上昇として見ることができる。この時点で、熱機械制御器４４上のバイメタルスイッチ７４および７６が空焚き状態を迅速に検出（第１の所定温度、例えば１０５℃の検出による）し、シーズ発熱体４２への電力供給を止める。シーズ発熱体４２に電力が供給されなくなる一方で、被加熱ベース３４の温度は、シーズ発熱体４２内の余熱により上昇し続ける。感熱スイッチ６４は、第２の所定温度、例えば１２０℃を検出すると、ファン１０を始動させる。これにより、プロット図において示されるように、装置内が冷却される。この冷却は乾燥モードに相当する。
【００６４】
線９２は、ファン１０が無い、すなわち、乾燥段階を支援するファンを有さない装置２の時間に対する温度を示す。このプロット図からわかるように、装置２においては、温度が１００℃よりも低くなるまでに著しく時間がかかる、すなわち、乾燥モードは長い時間を要する。線９４は、１２Ｖのファンが用いられた装置の時間に対する温度を示す。ファンを有さない装置と比較すると、チャンバの温度がかなり速く低下し、そのため、チャンバ４の内容物がより早く乾燥することがわかる。線９６は、２４Ｖが採用された装置の時間に対する温度を示す。この装置においては、チャンバの温度が１２Ｖのファンを用いる装置よりも早く零点未満の温度まで低下し、そのため、乾燥工程をさらに加速させていることがわかる。したがって、冷却時間はファンの出力に応じて調整される。
【００６５】
ここで、図１〜図８を参照しながら、装置２の動作について説明する。ユーザは、何本かの哺乳瓶とそれらの関連部品を滅菌したい場合、まず、装置２の蓋６を取り外す必要がある。蓋を取り外したら、上棚１６の外周リム５８と装置２の外壁３の外周溝６０との係合を解除することによって、上棚１６を取り外すことができる。上棚１６を取り外したら、その後、ユーザには次の２つの選択肢がある。まず、チャンバ４に水を加える前にチャンバ４から下棚４６を取り外すことが可能である。あるいは、下棚４６には孔４８があるため、チャンバ４に水を注いで水が孔４８から被加熱ベース３４上に流れるようにするだけでもよい。
【００６６】
好ましくは、ユーザが下棚４６の高さを越えない量の水を加えるだけでよいように、チャンバ４の大きさが決められ、かつ／または、下棚４６が構成される。このことは、水が沸騰して蒸気を発生させたときに蒸気がすぐにチャンバ内の全ての対象物のそばを通過することができるため、有利である。しかしながら、このことは必須ではなく、チャンバ４には、より大量の水、すなわち、チャンバ内で滅菌中の対象物が少なくとも部分的に浸かる量が注水されてもよい。理解されるように、この場合は、水が沸騰蒸発して蒸気がチャンバ４内の対象物のいくらかの部分に接近し得るようになるまでにより長くかかり、そのため、滅菌工程により長い時間がかかり得る。装置は、例えば、計量された水をチャンバ４に投入するための器具、例えば水差しを備えていてもよい。あるいは、チャンバ４が、チャンバ４への注水時にユーザの助けとなる注水量目盛りを備えていてもよい。
【００６７】
ユーザが所要量の水をチャンバ４に加えたら、次いで、滅菌対象物を挿入し得る。図示した実施形態では、チャンバ４は、哺乳瓶５４を収容できるような大きさを有しており、したがって、ユーザは、各瓶５４の口５６をボス５０のうちの１つに位置合わせして被せることで、哺乳瓶５４を挿入し得る。図示した実施形態では、チャンバ４は、２つの瓶５４を収容できるような大きさを有している。瓶５４を挿入したら、次いで、ユーザは、上棚１６を元の場所に戻す。上棚１６を所定の位置に固定したら、他の対象物、例えば、乳首２０や蓋２２を上棚１６の上に置いてもよい。乳首２０が所定の位置に置かれたら、締付リング２４を取り付けることによってそれらを所定の位置に固定し得る。最後に、ユーザは蓋６を取り付けてチャンバ４を閉じることができる。
【００６８】
理解されるように、装置への注水および滅菌対象物の挿入に関する上記の各ステップが行われる順序は、特定のユーザまたは滅菌対象物に応じて異なっていてもよい。上記ではチャンバ４に注水するための２つの選択肢について述べたが、それらの代わりに、ユーザが、まず全ての滅菌対象物を装置２に挿入した後で水を加えることを選択してもよい。これは、上棚１６および下棚４６に水を通り抜けさせる孔１８および孔４８がそれぞれ設けられていることによって可能である。
【００６９】
その後、ユーザは、スイッチ２６を操作することによって滅菌工程を開始し得る。スイッチ２６が、例えばスイッチ２６の押下げにより操作されると、シーズ発熱体４２に電力が供給される。チャンバ４内の未加熱の水の存在が、バイメタルアクチュエータ７４および７６が以前の使用後にリセットされていることを保証する。よって、シーズ発熱体４２は、ベースプレート３６を加熱する放熱板４０を加熱する。ベースプレート３６の窪み３８に滞留する水が、この水に熱接触する水と共に、ベースプレート３６によって加熱される。この水は、沸騰して蒸気を発生させる時点まで加熱され、その後、蒸気は水面を出て、チャンバ４の下棚４６の孔４８を通り抜けてチャンバ内を上昇する。この蒸気は、瓶５４のそばを通過することでそれらを滅菌する。いくらかの蒸気は、さらに上昇し、上棚１６の孔１８を通り抜けて、蓋６内に上昇し、乳首２０と蓋２０のそばを通過することでそれらを滅菌する。いくらかの蒸気は、蓋６の上部の通気口８から流出し得る。このようにして蒸気を逃すことによって、装置２内の圧力上昇を回避する。
【００７０】
被加熱ベース３４は、水の全てが蒸気に変換されるまで、チャンバ４内の水を加熱し続ける。この時点で、装置は、被加熱ベース３４からの熱を放散させる水が残っていない空焚き状況で有効に動作している。その結果、被加熱ベース３４の温度は、急速に上昇し始める。被加熱ベース３４の温度が第１の所定温度、例えば、空焚きスイッチオフ温度に達した時点で、バイメタルスイッチ７４および７６の少なくとも一方が動作して、シーズ発熱体４２への電力供給を止める。すると、バイメタルスイッチ７４および７６の一方の動作によって、スイッチ７８もオフ位置にリセットされ、それにより、熱機械制御器４４をリセットする。したがって、当業者に理解されるように、このようにして熱機械制御器４４がリセットされることによって、バイメタルスイッチ７４および７６がリセットされた際に発熱体がオンに戻ることが回避される。
【００７１】
シーズ発熱体４２内の余熱により、被加熱ベース３４の温度は、図９のグラフに見られるように、上昇し続ける。被加熱ベース３４が第２の所定温度に達すると、感熱スイッチ６４が閉じ、それにより、ファン１０をオンにする。前述のように、第２の所定温度は１２０℃に設定され得る。この温度は、チャンバ４内の水の実質的に全てが蒸気に変換されたことを保証するものであり、余熱を乾燥モードにおいて利用するためにベース３４に蓄熱しておくことが可能なように、第１の所定温度よりも高く設定される。第２の光インジケータ８１も点灯される。これにより、ファン１０は、チャンバ４に空気を押し込むように動作する。ファン１０によって押し込まれた空気は、バッフル５７によってチャンバ４の全ての部分に向かわせられる。チャンバ４の下側部分に向かわせた空気は、被加熱ベース３４にぶつかって、被加熱ベース３４から熱を取り出す。この加熱された空気は、その後、チャンバ４の残りの部分をくまなく循環し、瓶５４や乳首２０や蓋２２を乾燥させるのを支援する。これらのパーツ上に凝縮した水分が乾くのを支援する。空気がチャンバ４に押し込まれるため、チャンバ４内に既に存在していた湿り空気と蒸気は、蓋６の通気口８を通って装置２から押し出される。このようにしてチャンバ４から蒸気を追い出すことによって、乾燥工程が加速される。
【００７２】
ファン１０は、被加熱ベース３４の温度が、感熱スイッチ６４が再び開いてファン１０への電力供給を停止させるリセット温度まで低下するまで、動作し続ける。このリセット温度は、例えば９０℃に設定され得る。この時点で、第２の光インジケータ８１も消され、乾燥モードが完了する。その後、ユーザは、蓋６を取り外し、滅菌済みの対象物を使用に備えて装置２の内部から取り出し得る。
【００７３】
図１０は、本発明の代替的な実施形態に係る装置１０２の等角図を示す。明瞭化のため、装置１０２の内部構成要素をより明確に表示するために本体と蓋とが取り除かれている。装置１０２は、本質的には上述の装置２と同じであるが、空気を概ねチャンバ４に送り込むバッフル５７に代えて、本実施形態は、ファン１１０からの空気を内部導管に沿って下棚１４６上のボス１５０に設けられた孔１４８に向かわせるように構成された空気方向付け手段１５７を備える。図１０は、空気方向付け手段１５７が各孔１４８を貫通して延びる立設ガイド１９６を備える様子を示す。立設ガイド１９６は、孔１４８を２つの部分、すなわち、空気方向付け手段１５７によって提供される導管と流体連通する第１の部分１４８’と、チャンバ１０４の残りの部分と流体連通する第２の部分１４８”とに有効に分割する。当業者に理解されるように、瓶（図示せず）をボス１５０に被せて置くと、立設ガイド１９６が瓶の口に入り込む。空気がファン１１０によって押し込まれると、該空気は、空気方向付け手段１５７の内部導管によって、孔１４８を通って瓶の内部に直接送られる。空気は、孔１４８の第１の部分１４８’を通って瓶に流入し、瓶の中を通過し、孔１４８の第２の部分１４８”からチャンバ１０４内に押し出される。本実施形態では、空気方向付け手段１５７によってボス１５０に向かわされた空気は、瓶から追い出された後、被加熱ベースにのみぶつかる。
【００７４】
図１１は、側面から見た装置１０２の断面図を示し、空気方向付け手段１５７によって画定される内部導管に沿わされる空気の空気流路をより明確に示している。導管に沿った空気流路は、矢印１９８によって示されている。ファン１１０によって押し込まれた空気は、空気方向付け手段１５７によって、垂直流路２００が内部に形成された導管を流下させられる。空気は、次いで、下棚１４６の下面に沿って延びる導管の水平流路２０２に沿って、孔１４８に向かわせられる。水平流路２０２は、図１３により明確に示すベースプレート２０４によってその基底が閉じられている。押し込まれた空気は、この水平流路２０２に沿って流れた後、ボス１５０に設けられた孔１４８の第１の部分１４８’を通って上方へ向かわせられる。
【００７５】
図１２は、下から見た空気方向付け手段１５７および下棚１４６の等角図を示す。本実施形態では、空気方向付け手段１５７と下棚１４６とは一体部品として形成される。しかしながら、これは必須ではなく、空気方向付け手段１５７と下棚１４６とは、組み付け可能な別個の部品として設けられてもよい。図１２からわかるように、垂直流路２００は、水平流路２０２の中まで延びて、連続した導管を形成している。図１２は、水平流路２０２が２つの枝路、第１の枝路２０２’および第２の枝路２０２”に分かれる様子も示している。水平流路２０２の各枝路２０２’、２０２”は、空気をそれぞれのボス１５０（反対側）のそれぞれの孔１４８に向かわせる。
【００７６】
空気を枝路２０２’および２０２”に沿って流れさせるために、水平流路２０２の基底をベースプレート２０４によって閉じている。これは図１３からわかる。ベースプレート２０４は、任意の適切な手段、例えばネジによって取り付けることができる。これに加えて、図１３には図示していないが、垂直流路２００は、装置１０２の他の構成要素、例えば装置１０２の本体によって閉じられている。あるいは、垂直流路２００は、ベースプレート２０４と同様の閉止板によって閉じられていてもよい。
【図１】
2021505280.tif 000003
【図２】
2021505280.tif 000004
【図３】
2021505280.tif 000005
【図４】
2021505280.tif 000006
【図５】
2021505280.tif 000007
【図６】
2021505280.tif 000008
【図７】
2021505280.tif 000009
【図８】
2021505280.tif 000010
【図９】
2021505280.tif 000011
【図１０】
2021505280.tif 000012
【図１１】
2021505280.tif 000013
【図１２】
2021505280.tif 000014
【図１３】
2021505280.tif 000015
【国際調査報告】
2021505280.tif 000016
2021505280.tif 000017
2021505280.tif 000018
2021505280.tif 000019
2021505280.tif 000020